(57)【要約】【課題】  希土類磁石を隠すことなくかつその存在を感じさせずに、高い装飾性を持つ装飾性磁石を得る。【解決手段】  薄肉リング磁石内に装飾性薄片を内蔵した透明樹脂の装飾成形体を充填した構成や、柱状の装飾成形体の外周面に平行に複数の棒状希土類磁石が配置する構成を採用することで、筒状又は棒状の一般的な希土類磁石を用いることができ、いずれも柱状の樹脂成形体部分が大きく種々の装飾が可能で、磁石材料が少なく装飾性にすぐれた装飾性磁石が得られる。【選択図】        図1
2005059299.tif 000002
【特許請求の範囲】
【請求項１】
希土類磁石と、樹脂又はガラスあるいはその両方からなる装飾成形体とが一体化された構成であり、前記希土類磁石の中心軸に垂直方向の端面と同一平面内に、装飾成形体の装飾面と該磁石端面とが観察可能である装飾性磁石。
【請求項２】
希土類磁石の中心軸に垂直方向の端面における装飾性磁石の全面積における希土類磁石の占有面積が30%以下である請求項1に記載の装飾性磁石。
【請求項３】
希土類磁石の中心軸に垂直方向の端面における装飾性磁石の全面積における希土類磁石の占有面積が20%以下である請求項1に記載の装飾性磁石。
【請求項４】
希土類磁石が筒状であり、筒状希土類磁石内に装飾成形体が配置される請求項1に記載の装飾性磁石。
【請求項５】
希土類磁石が筒状又は棒状であり、装飾成形体内に内蔵配置される請求項1に記載の装飾性磁石。
【請求項６】
単数又は複数の棒状希土類磁石が柱状の装飾成形体内に内蔵される請求項5に記載の装飾性磁石。
【請求項７】
希土類磁石が、装飾成形体の外周面の全部又は一部に外装される請求項1記載の装飾性磁石。
【請求項８】
柱状の装飾成形体の外周面に平行に複数の棒状希土類磁石が配置される請求項7に記載の装飾性磁石。
【請求項９】
装飾成形体が、透明又は半透明な部分を含む請求項1に記載の装飾性磁石。
【請求項１０】
装飾成形体が、透明体で装飾性薄片又は装飾性小片あるいはその両方を内蔵する請求項9に記載の装飾性磁石。
【発明の詳細な説明】
【技術分野】
【０００１】
この発明は、極一般的な筒状又は棒状の希土類磁石を用いた装飾性磁石に係り、薄肉リング磁石内に装飾性薄片を内蔵した透明樹脂の装飾成形体を配置したり、柱状の装飾成形体の外周面に平行に複数の棒状希土類磁石が配置されるなどの構成で、該希土類磁石の中心軸に垂直方向の端面における、装飾成形体を含む装飾性磁石の断面に占める該希土類磁石材料が少なく、装飾性にすぐれた希土類磁石を用いた装飾性磁石に関する。
【背景技術】
【０００２】
Nd-B-Fe系磁石やSm-Co磁石などの希土類系磁石は、高い磁気特性を有することから様々な分野で使用されている。
【０００３】
希土類系を含むいずれの磁石も材料自体には装飾性はないが、例えば、磁石表面に金属めっきを施したり、樹脂コーティングを施したりすることによりある程度の装飾性を持たせることは可能である。
【０００４】
特にNd-B-Fe系磁石は、反応性の高い希土類元素を含むために錆び易い性質をもち、また、強度的にも脆いことから、これまでに数々の表面処理技術が開発され、実用化されており、着色や絵柄付きのフィルムを用いるなどの装飾目的のコーティングも可能である。
【０００５】
例えば、特公昭60-009328号公報には、希土類-コバルト磁石を光沢性透明樹脂やガラスで被覆することにより磁石に装飾性を施すことが開示される。また、特開2000-35144号公報には、小型の希土顎類磁石の表面に絵柄のついた樹脂製のテープを貼り付けることにより、装飾性に優れた健康用磁石を得る旨、開示される。
【特許文献１】特公昭60-009328号
【特許文献２】特閉2000-35144号
【発明の開示】
【発明が解決しようとする課題】
【０００６】
樹脂やガラスで被覆する方法の磁石は、磁石の外面を樹脂やガラスで覆っているに過ぎないので、装飾性、すなわち種々のデザインを施すことができないなど、デザインのバリエーションに限界がある。また、磁石は通常表面粗度が粗いので、透明な樹脂やガラスを用いた場合、磁石表面の粗さがそのまま表面に浮き出るため、美しい装飾性を得るためには、磁石表面を鏡面仕上げする必要がある。
【０００７】
樹脂製のテープを貼り付ける磁石は、磁石にテープを貼り付けたに過ぎないので、これも同様に装飾性に限界がある。また、装飾テープではなく、その他の装飾性をもつ成形体を貼り付けるような文具用磁石が市場で数多く見られるが、不透明な磁石を貼り付けてこれを隠すことが前提であるため、同じく装飾性に限界がある。
【０００８】
この発明は、希土類磁石を用いて、該磁石を隠すことなく、かつその存在を感じさせずに、高い装飾性を持つ装飾性磁石を得ることを目的とする。
【課題を解決するための手段】
【０００９】
発明者らは、希土類磁石を用いて、特に該磁石を隠すことなくかつその存在を感じさせずに、高い装飾性を持つ装飾性磁石の構成を目的に種々検討した結果、薄肉リング磁石内に装飾性薄片を内蔵した透明樹脂の装飾成形体を充填した構成や、柱状の装飾成形体の外周面に平行に複数の棒状希土類磁石が配置される構成を採用することで、筒状又は棒状の一般的な希土類磁石を用いることができ、いずれも柱状の樹脂成形体部分が大きく種々の装飾が可能で、磁石材料が少なく装飾性にすぐれた装飾性磁石が得られることを知見し、この発明を完成した。
【００１０】
すなわち、この発明は、希土類磁石と、樹脂又はガラスあるいはその両方からなる装飾成形体とが一体化された構成であり、前記希土類磁石の中心軸に垂直方向の端面と同一平面内に、装飾成形体の装飾面と該磁石端面とが観察可能であって、好ましい形態においては、希土類磁石の中心軸に垂直方向の端面における装飾性磁石の全面積に占める希土類磁石の占有面積が、該端面の全面積の30%以下であることを特徴とする装飾性磁石である。
【００１１】
また、この発明は、上記構成の装飾性磁石において、
希土類磁石の中心軸に垂直方向の端面における装飾性磁石の全面積に占める希土類磁石の占有面積が20%以下である構成、
希土類磁石が円や角の筒状であり、筒状希土類磁石内に装飾成形体が充填された構成、
希土類磁石が円や角の筒状又は棒状であり、円や角の柱状や異形断面棒状の装飾成形体内に内蔵配置される構成、
単数又は複数の円や角の棒状希土類磁石が柱状の装飾成形体内に内蔵される構成、
希土類磁石が、装飾成形体の外周面の全部又は一部に外装される構成、
円や角の柱状の装飾成形体の外周面に平行に複数の円や角の棒状希土類磁石が配置される構成、
装飾成形体が、透明又は半透明な部分を含む構成、
装飾成形体が、透明体で装飾性薄片又は装飾性小片あるいはその両方を内蔵する構成、を併せて提案する。
【発明の効果】
【００１２】
この発明によると、例えば円や角の筒状、柱状の希土類磁石の中心軸に垂直方向の端面における装飾性磁石の全面積に占める希土類磁石の占有面積を30%以下、具体的には、希土類磁石がリングのような薄肉状や棒状の磁石形状を取ることにより、希土類磁石がリング状磁石の場合は、端面のリング内が装飾成形体でこの端面が主たる装飾面となるように、装飾面が希土類磁石の占有部分に制約されることがなく、自由に装飾性を表現することができ、種々デザインの装飾性磁石を得ることができる。
【００１３】
また、円柱、角柱、直方体、異形断面形状などの装飾成形体内に円や角の棒状、直方体の希土類磁石を配置して該柱状の装飾成形体の端面に磁石が露出するように構成すると、装飾成形体の端面で磁気吸着が可能となるとともに、この外周面の全てが装飾成形体で任意の装飾面となるため、極めて自由に装飾性を表現することができ、種々デザインの装飾性磁石を得ることができる。
【００１４】
さらに、種々の用途の磁石としてその役割を終えた希土類磁石、もしくは何らかの理由でモータや電子機器などの機械部品用途としては使用できなかった希土類磁石を、リサイクル磁石としてこの発明の装飾性磁石に活用することで、エネルギーや資源の有効活用が可能になる。
【発明を実施するための最良の形態】
【００１５】
この発明による装飾性磁石は、希土類磁石と樹脂又はガラスあるいはその両方からなる装飾成形体とが一体化された装飾性磁石成形体からなる。また、磁石成形体の端面部において、希土類磁石の中心軸に垂直方向の端面と同一平面内に、装飾成形体の装飾面と該磁石端面とが観察可能であって、好ましい形態においては希土類磁石の占有面積が該端面の全面積の30%以下であることを特徴とする。
【００１６】
この発明において、希土類磁石は、公知のSm-Co系磁石、Nd-B-Fe系磁石等の高磁石特性を有する永久磁石を用い、金属めっきや樹脂コーティングなどが施されていることが望ましい。特にAlやNiなどの白色系の色を有するコーティングを施すことにより、透明樹脂との一体感にすぐれ、磁石部分自体がある程度の装飾性を持つと共に、長期間の使用により磁石から錆が発生して装飾性が損なわれることを防ぐことができる。
【００１７】
金属めっきとしては、上記白色系のほか、Pt、Au、Ag、Pd、Cr、Sn-Co、Su-Niなどの公知の装飾めっきを施すことも可能である。さらに、種々の彩色を施すため、顔料を含む樹脂コーティングや銀鏡塗装を用いたり、希土類磁石外周面に図柄を施すことも可能である。なお、この発明の希土類磁石とは、これらのコーティング、被膜部分まで含めたものを言う。
【００１８】
希土類磁石は、筒状又は棒状磁石であることが望ましく、リング状磁石の他、複数の板状磁石で三角や四角などの角筒状とすること、あるいは板状磁石や弓形磁石、小径柱状磁石などを適宜組み合せて筒状又は棒状に形成することが可能であり、必ずしも1ピースで筒状又は棒状を形成させる必要はない。なお、筒状又は棒状磁石は、その高さが外径より小さい短筒状等の形態を取り得ることは当然である。また、希土類磁石の着磁方向は適宜選定することができ、例えば、リング状の磁石や棒磁石が軸方向に着磁されると軸方向の端面部が吸着面となる。
【００１９】
この発明において、装飾成形体は、公知の合成あるいは天然樹脂材や各種のガラス材を用いて形成される。この樹脂やガラスを用いた装飾成形体は、その性質を利用して所要形状になるよう金型を用いた溶融成形だけでなく、所要形状になるように溶融成形を繰り返す方法の他、例えば角材から所要形状になるように機械加工や研削、研摩を施して作製することが可能である。また、前記樹脂やガラスには、透明、不透明、着色、無着色のいずれであっても採用可能である。
【００２０】
この発明において、装飾性薄片とは、規則性や組合せの意外性で装飾性を発揮する公知のラメやビーズ、スパンコールなどを指し、また、装飾性小片とは、人形や、モチーフ、キャラクターなどの意匠性のある成形体、フィギュアを指すが、装飾性の形態を特に限定するものでない。その材質には、紙、繊維、金属、樹脂、天然材等がいずれの材質も利用でき、特に限定されるものでない。
【００２１】
この合成樹脂やガラスが、着色の有無を問わず透明あるいは半透明であると、その中に前記装飾性薄片を混入して種々の装飾を施すことが可能であり、また、装飾性小片を埋め込んだりして一つのキャラクターを表現するなど、バリエーションが豊富で、多くの嗜好の変化にも対応できる。
【００２２】
また、装飾成形体は、透明又は半透明な樹脂又はガラスあるいはその両方からなる部分を含んでいることが好ましい。例えば、柱状透明樹脂体内に三角錐や四角錐の半透明又不透明ガラス片を組合わせて配置したり、半透明な意匠性膜を透明樹脂内に配置することが可能で、また、不透明な背景膜の前面に装飾性小片を透明樹脂で固定配置するように、装飾成形体は必ずしも全てシースルーである必要はない。
【００２３】
さらに、装飾成形体は、透明又は半透明な外枠体で形成して所要位置に中空部を形成し、この上記装飾性薄片や装飾性小片を適宜固定するか、あるいは流動性をもたせ内蔵させた構成であってもよい。このように装飾性成形体が透明部分を含んでいると、デザインのバリエーションが豊富となる。
【００２４】
この発明において、希土類磁石の中心軸に垂直方向の端面と同一平面内に、装飾成形体の装飾面と該磁石端面とが観察可能にした構成とは、実施例の図1〜図5に示すごとく、円筒状や角筒状の土類磁石内に装飾成形体が充填されたり、円柱状や角柱状の装飾成形体内に棒状希土類磁石が内蔵されたり、柱状の装飾成形体の外周面に棒状希土類磁石を配置するなど、希土類磁石の該端面に装飾成形体の装飾面が同一方向から観察できる形態を指している。この構成によれば、例えば、リング状磁石のリング内や棒状磁石の周囲に広い面積で装飾成形体部分を配置できる。
【００２５】
この発明において、装飾性磁石成形体に占める希土類磁石の占有面積とは、希土類磁石の中心軸に垂直方向の端面における装飾性磁石の全面積における希土類磁石の占有面積であって、磁石をその中心軸方向から見た場合、磁石の成形体からの露出の有無にかかわらず、同一平面上で最も磁石が幅広く占有している部分の磁石の占有面積を言う。
【００２６】
この発明の装飾性磁石成形体は、上記の装飾成形体の主たる装飾面と希土類磁石の端面が同一方向から観察できる構成であって、希土類系磁石が小型または薄型であっても強い磁力を有することから、希土類磁石が装飾性磁石成形体の断面積全体の30%以下の占有面積しかなくても、装飾用途の目的としては十分な磁力を発揮でき、該占有面積が小さい故に、磁石の装飾性の大部分を装飾性を自由に付与することが可能な樹脂またはガラス成形体で得ることができる。
【００２７】
この占有面積が装飾性磁石断面の全面積の30%以下であれば、上述の実施例の図1〜図5に示すごとく、磁石の配置はどのような構成も採用可能である。この占有面積は、好ましくは20%以下、さらには15%以下であるが、その下限は希土類磁石の磁力や形状、配置により変化するため、特に限定しない。
【００２８】
この発明において、希土類磁石と装飾成形体との一体化には、例えば、
(1)リング状ボンド磁石1の中空部に樹脂2を流し込み硬化させる方法(図1A参照)、
(2)リング状ボンド磁石1の中空部に柱状のガラスを配置して樹脂で一体化する方法(図1A参照)、
(3)板状ボンド磁石で三角や四角などの角筒状磁石3を形成し、その中に樹脂2を流し込み硬化させる方法(図1B参照)、
(4)所要形状の型枠内に樹脂2を流し込みその中に棒状磁石4を配置し、硬化させた後、離型する方法(図2A,B)、この方法において、長い棒状磁石6を用いて円柱を2個つないだ形状にする方法(図5B参照)、
(5)所要形状の型枠内に棒状磁石4を配置した後に樹脂を流し込み硬化させた後、離型する方法(図2A,B、図3参照)、
(6)樹脂製型枠内に磁石を配置した後に樹脂を流し込み該型枠を取り外すことなく意匠部材として一体化する方法、
(7)円柱や角筒状の樹脂柱5の外周面に溝加工を施して、溝内に細い棒状磁石6を接着し一体化する方法(図4参照)、
(8)(1)の方法で2つのリング状ボンド磁石1をタンデムに接続するため、流し込み樹脂と同じ樹脂棒7で一体化する方法(図5A参照)、
など種々の方法を採用することができる。
【００２９】
また、リング状ボンド磁石や筒状を形成した磁石の中空部に磁石を流し込む場合、磁性体にフッ素樹脂などの離型性にすぐれたシート材を貼り付け、またシリコングリースなどの離型剤を貼り付け又は塗布しておき、その磁性体に磁石を吸着させた中に樹脂を流し込むことで、樹脂を流し込んだ時に樹脂が漏れることがなく、磁石全体が金型の役割も果たし、かつ硬化した樹脂を容易に磁性体から剥離できる。さらには、このように簡単に成形できるという特徴を生かして、磁石と樹脂材料と離型剤をセットで提供することにより、自由に装飾性磁石の作成を楽しむ工作材料としての提供も可能となる。
【実施例】
【００３０】
実施例1
外径23mm×内径21mm×高さ10mm寸法のNd-B-Fe系ボンド磁石を作製し、Niめっきを施し、得られたリング状磁石を中心軸方向に着磁した。平滑平面の鉄板トレイにフッ素樹脂シートを密着させた後、前記リング状磁石を吸着させて複数個を配列した。
【００３１】
市販の2液熱硬化型のクラフト用透明樹脂(日新レジン社製)を用い、所定比率で混合撹拌した前記樹脂剤を、鉄板上の各リング状磁石内に高さの1/3程度あるいは半分程度になる量を流し込んだ。その後、鉄板トレイごとオーブンにセットして、60℃、3時間保持して、硬化させた。
【００３２】
室温まで冷却した後、各リング状磁石内の硬化樹脂上に、ラメやビーズを配置し、さらに混練した前記樹脂剤を各リング状磁石内に高さの2/3程度あるいは磁石の上面に並ぶように流し込んだ。その後、鉄板トレイごとオーブンにセットして、60℃、3時間保持して、硬化させた。
【００３３】
冷却後に、リング状磁石内に樹脂を充填したものをシートより取り外した。磁石内に高さの2/3程度樹脂を充填したものは、再度、ラメやビーズを配置し、さらに混練した前記樹脂剤を磁石の上面に並ぶように流し込んだ。次いで前記と同様に熱硬化させた。
【００３４】
得られたNd-B-Fe系ボンド磁石内に樹脂製の装飾成形体を一体化した外径23mm、高さ10mm寸法の装飾磁石は、外周部が銀白色で内部の透明樹脂内にラメとビーズが立体的に散乱してきれいなファッション性のある磁石となり、その径方向の横断面に占める磁石の占有面積は、69mm2で全体の16.6%であった。
【００３５】
実施例2
厚み1mm×20mm×25mm寸法の板状Nd-B-Fe系ボンド磁石を作製し、Niめっきを施し、その長手方向に着磁した。この板状磁石を3枚用いて、図1Bに示すごとく三角柱に組み立てて、実施例1の鉄板トレイに吸着配置させ、実施例1と同様の方法で、透明樹脂を空間部内に流し込むとともに星形の薄片を3回に分けて透明樹脂内に配置して熱硬化させた。
【００３６】
外径17mm×高さ25mm寸法の三角柱状の装飾性磁石は、内部に星形が見える銀白色の三角柱で、その径方向の横断面に占める磁石の占有面積は、21mm2で全体の22%であった。
【００３７】
実施例3
市販のオーブン粘土(エーアエンドシーメイト社製)を用いて、花やスノーマン、金魚、星形などの種々の色、形状の微小フィギュアを作製して、トレイに載せてオーブンで、100℃、30分保持して、硬化させた。
【００３８】
実施例1の透明樹脂を用いて、別途準備した内径が20mmの円筒型枠内に該樹脂を流し込む際に、適宜、微小フィギュアを少量の顔料や塗料とともに入れた後、熱硬化させた。その後、型枠から離脱させた結果、透明樹脂の円柱内にフィギュアが配置され且つ所要位置に透明度を保持しながら部分的に着色された装飾成形体を得た。
【００３９】
表面にNiめっきを施した外径25mm×内径23mm×高さ25mm寸法のNd-B-Fe系ボンド磁石を作製し、このリング状磁石内に前記装飾成形体を挿入して、ラメ入り青色透明接着剤を用いて一体化した。
【００４０】
得られた柱状の装飾磁石は、外周部が銀白色で、端面には外周側から磁石の銀白色リング、接着剤の青色リングがあり、その内側にフィギュアが見える透明樹脂部がある構成で、例えばスチール製の黒板や家具、冷蔵庫扉などにメモなどを吸着させた際、視認性並びに意匠性にすぐれたもので、吸着性も十分であった。なお、径方向の横断面に占める磁石の占有面積は、75mm2で全体の15.4%であった。
【００４１】
実施例4
断面が星形であり、透明薄肉の樹脂製型枠を準備し、型枠内中心部に表面にNiめっきを施した円柱状ボンド磁石を配置した。この型枠に、実施例3と同様の方法で作製した微小フィギュアを少量の顔料や塗料とともに入れ、透明樹脂を流し入れた後、60℃、3時間保持して熱硬化させた。
【００４２】
得られた柱状の装飾磁石は、図3に示すごとく、外径25mm×高さ25mm寸法の透明薄肉の樹脂製型枠の中心部に、外径8mm×高さ25mm寸法のNd-B-Fe系ボンド磁石が配置され、その間に透明樹脂が充填されたものである。すなわち外観は、中心に見える銀白色の円柱の回りにある星形の透明樹脂部分に種々のフィギュアが適宜配置され、且つ透明度を保持しながら部分的に着色された波模様が散見される視認性並びに意匠性にすぐれたものであった。
【００４３】
また、中心部の磁石よる占有面積は、50mm2で全体の10%であるが、端面による磁気吸着力は、メモ紙を保持するのに十分であった。
【００４４】
実施例5
実施例3の円柱状装飾成形体を作製する際に、外周面の90度間隔位置の軸方向に凹溝が形成されるように構成した内径20mm×高さ20mmの型枠を用いて、実施例3と同様条件で透明樹脂の充填、熱硬化を行った。
【００４５】
型枠から離脱させた略円柱状装飾成形体の4本の凹溝に、表面にNiめっきを施した外径5mm×高さ20mm寸法のNd-B-Fe系ボンド磁石を透明接着剤で着設一体化した。
【００４６】
得られた装飾磁石は、図4に示すごとく、最大外径27mm×高さ20mm寸法の略円柱状で、外周部に4本の銀白色の細円柱が配置され、内部に種々フィギュアが適宜配置され、且つ透明度保持しながら部分的に着色された波模様が散見されるものであった。細円柱磁石による占有面積は、79mm2で全体の25%であった。
【００４７】
実施例6
外径23mm×内径21mm×高さ10mm寸法のNd-Fe-B系ボンド磁石を作製し、さらに表面にNiめっきを施し、得られたリング状磁石を中心軸方向に着磁した。直径21mm×厚み1mmの無色透明樹脂シートを作製し、そのうち1枚をリング磁石の端面内側に透明接着剤で接着した。次に、鉄および樹脂からなるの微小フィギュアを作製し、リング磁石の内側に吸着させた後、透明シートの残りの1枚をリング磁石の端面の内側に接着して蓋をした。
【００４８】
得られた装飾性磁石は、リング磁石の内部でフィギュアが自由に動く意匠性にすぐれたものであり、その径方向の横断面に占める磁石の占有面積は69mm2で全体の16.6%であった。
【産業上の利用可能性】
【００４９】
この発明によると、装飾面がほとんど磁石の占有部分に制約されることがなく、自由に装飾性を表現することができ、種々デザインの装飾性磁石を提供できる。
【００５０】
各種用途で磁石の役割を終えた希土類磁石、あるいは規格や仕様からはずれた希土類磁石をリサイクルするには、多大な費用と時間をかける必要があり、特に、樹脂成形体であるボンド磁石やめっきなどの被膜を形成した磁石のリサイクルは、特殊な装置や薬品を必要とし、多大の手もとコストを要する。しかし、この発明によると、これらの磁石を装飾性を重視する磁石に容易に用途変更することができ、産業廃棄物にすることや、リサイクルのためのエネルギーロスを避けることができ、エネルギーや資源の有効活用ができる。
【図面の簡単な説明】
【００５１】
【図１】この発明による装飾性磁石の磁石成形体端面側から見た斜視説明図であり、Aはリング状磁石を用いた例、Bは三角筒状磁石を用いた例を示す。
【図２】A,Bはこの発明による装飾性磁石の磁石成形体端面側から見た斜視説明図であり、樹脂柱内に棒状磁石を内蔵した例を示す。
【図３】この発明による装飾性磁石の磁石成形体端面側から見た斜視説明図であり、断面星型の樹脂柱内に棒状磁石を内蔵した例を示す。
【図４】樹脂円柱外周面に棒状磁石を配置した構成のこの発明による装飾性磁石の磁石成形体端面側から見た斜視説明図である。
【図５】Aはリング状磁石を2個用いたこの発明による装飾性磁石の斜視説明図であり、Bは棒状状磁石を用いたこの発明による装飾性磁石の説明図である。
【符号の説明】
【００５２】
1  リング状ボンド磁石
2  樹脂
3  角筒状磁石
4,6  棒状磁石
5  樹脂柱
7  樹脂棒
【図１】
2005059299.tif 000003
【図２】
2005059299.tif 000004
【図３】
2005059299.tif 000005
【図４】
2005059299.tif 000006
【図５】
2005059299.tif 000007